(57)【要約】矩形の導光板の入光面４４および反入光面４６を除く各側面２６に凸部２２が形成され、この凸部２２がフレーム２０に形成されている凹部２４に嵌り込むことによって、導光板１６がフレーム２０に固定されている。また、液晶表示パネル１８のガラス板３８が両面接着テープ３４によってフレーム２０に固定されている。よって、衝撃を受けたときの、導光板１６とガラス板３８との衝突による衝撃を小さくできる。凸部２２が導光板１６の側面２６の全体にわたって形成されているので、側面２６の近傍に輝線や暗部からなる光の干渉縞が現れない。よって、液晶表示パネル１８の表示領域２８よりも少し大きいだけの導光板１６を採用できる。  このように、衝撃を受けたときに導光板および液晶表示パネルのガラス板に傷が付き難く、光の干渉縞が表示領域内に現れないようにすることができ、しかも小型，軽量であるライトユニットを提供できる。
2004055430.tif 000002
【特許請求の範囲】
【請求項１】
所定の表示領域を有する液晶表示装置のライトユニットであって、導光板と前記導光板を保持するためのフレームとを有するものにおいて、
入光面および反入光面を除く側面の少なくとも１つに少なくとも前記表示領域内に連続する凹部および凸部の一方を前記導光板に、かつ他方を前記フレームに形成した、ライトユニット。
【請求項２】
前記凸部を前記導光板に、かつ前記凹部を前記フレームに形成した、請求項１記載のライトユニット。
【発明の詳細な説明】
【技術分野】  この発明はライトユニットに関し、特にたとえば、携帯電話機等の情報端末機器等に設けられる液晶表示装置に使用される、ライトユニットに関する。
従来技術
従来、携帯電話機等の情報端末機器等においては、透過型または半透過型の液晶表示装置のバックライトユニットとして、サイドライト方式が多く採用されている。このサイドライト方式を採用する表示装置の一般的な構成として、図６に示すものがあり、導光板２が使用されている。この液晶表示装置１によると、ＬＥＤ（発光ダイオード）３から出射された光４は、導光板２の入光面２ａに入射して、たとえば導光板２の下面（反射面）２ｂに形成された多数の溝２ｃ，…の斜面で反射する。そして、この反射光４は、導光板２の上面（出射面）２ｄから出射して、その上側に配置されている液晶表示パネル５を照射する。この液晶表示パネル５を照射する光４は、液晶表示パネル５を透過して画像等を表示する光線として出射する。
この液晶表示装置１の分解斜視図は図７に示すとおりであり、組み立てた状態の断面図は図８に示してある。図８に示すように、矩形の枠状のフレーム６は、外枠６ａの内周面に沿って内枠６ｂが形成されたものである。この内枠６ｂの上面には、レンズシート７ａ，遮光両面接着テープ７ｂ，偏光板５ａ，ガラス板５ｂ，および偏光板５ａが重ねられた状態で固定されている。この偏光板５ａ、ガラス板５ｂおよび偏光板５ａが液晶表示パネル５を構成しており、ガラス板５ｂに各偏光板５ａが貼り付けられた状態で、遮光両面接着テープ７ｂによって内枠６ｂの上面に接着されている。そして、内枠６ｂの内側面に導光板２が嵌合して固定されている。また、内枠６ｂの下面には、両面接着テープ７ｆを介して反射シート７ｇが接着されて固定されている。さらに、図７に示すフレキシブルプリントケーブル（ＦＰＣ）７ｈを内枠６ｂの上面に設けてあり、このＦＰＣ７ｈには、光源としてのたとえば３つの発光ダイオード（ＬＥＤ）３、およびサージ防止ダイオード３Ｓが設けられている。これら発光ダイオード３、導光板２、レンズシート７ａ、フレーム６等がバックライトユニット７を構成している。
この液晶表示装置１によると、図８に示すように、ガラス板５ｂおよび導光板２は、フレーム６に固定されていて、フレーム６に対する移動が規制されているので（ガタツキがないので）、この表示装置１に衝撃が加わったときの、ガラス板５ｂと導光板２との衝突による衝撃が小さく、お互いに傷を付け合わないようにできる。
この表示装置１では、導光板２をフレーム６に固定する方法として、図８および図９に示すように、導光板２の側面に形成した凸部２ｅをフレーム６の内枠６ｂの内側面に形成した凹部６ｃに嵌め込む方法が用いられている。
また、図には示さないが、導光板をフレームに固定する方法として、導光板の側面に凸部を形成してこの凸部に貫通孔を形成し、フレームに形成したピンをこの貫通孔に挿通する方法もある。たとえば、１９９７年６月６日付で出願公開された特開平９−１４７６１８号公報（図５参照）に開示される。
しかし、従来の液晶表示装置１では、図１０に示すように、３つの発光ダイオード３を点灯したときに、導光板２の左右の各側面に形成されている凸部２ｅの上下の各端部から表示領域（縦の長さＡと横の長さＢで区画される領域）８内に伸びる光の干渉縞（輝線９ａと暗部９ｂとからなる干渉縞）９が現れる。この干渉縞９は、液晶表示パネル５によって表示される画像等を見にくくするものである。ただし、図１０では、この干渉縞９を誇張して描いてある。
また、上記公開公報に記載されている照明装置でも、図６の導光板２の溝パターンが特有なものにおいては、このような光の干渉縞が現れると考えられる。
このように、表示領域８内に干渉縞９が現れるのは、図１０に示すように、凸部２ｅが矩形の表示領域８における縦方向の境界縁（長さＡ）８ａに対して、その一部の範囲内に配置されており、境界縁８ａの長さＡよりも短い長さＨ１で形成されているからであり、さらに、干渉縞９が凸部２ｅの上下の各端部から表示領域８に向かって斜め下方に伸びるように形成されるからである。
ここで、表示領域８内に干渉縞９が現れないようにするために、フレーム６および導光板２の横幅Ｆ，Ｄを広げて、干渉縞９が元の大きさの表示領域８内に達しないようにすることが考えられる。しかし、このようにすると、液晶表示装置１の横幅Ｆが広がり、嵩が大きく重量が重くなる。よって、このように形成した液晶表示装置では、小型，軽量化が望まれる携帯電話機等に適用できないことがある。
発明の概要
それゆえに、この発明の主たる目的は、新規なライトユニットを提供することである。
この発明の他の目的は、衝撃を受けたときに導光板および液晶表示パネルのガラス板に傷が付き難く、光の干渉縞が表示領域内に現れないようにすることができ、しかも小型，軽量なライトユニットを提供することである。
この発明は、所定の表示領域を有する液晶表示装置のライトユニットであって、導光板と導光板を保持するためのフレームとを有するものにおいて、入光面および反入光面を除く側面の少なくとも１つに少なくとも表示領域内に連続する凹部および凸部の一方を導光板に、かつ他方をフレームに形成した、ライトユニットである。
この発明によると、凹部および凸部の一方を導光板の側面に形成し、他方をフレームに形成して、この凹部と凸部とを互いに嵌め込むことによって、導光板をフレームに固定して取り付けることができる。よって、このライトユニットが設けられているたとえば液晶表示装置に衝撃が加わったときの、液晶表示パネルのガラス板と、導光板との衝突による衝撃を小さくすることができ、お互いに傷を付け合わないようにできるし、破損することを防止できる。
そして、導光板の入光面、およびこの入光面と向かい合う反入光面を除く側面に形成されている凹部および凸部の一方は、液晶表示パネルの少なくとも表示領域と対応する範囲内に連続して配置されているので、凹部または凸部の端部から伸びる干渉縞は、液晶表示パネル等の非表示領域内に現れることがあっても、表示領域内に現れないようにすることができる。
また、導光板の平面形状をたとえば矩形に形成して、凹部または凸部を導光板の入光面および反入光面を除く側面の全体にわたって形成した場合は、凹部または凸部の端部から干渉縞が現れないようにすることができる。
なお、凹部および凸部の一方を導光板の入光面および反入光面を除く側面に形成した理由は、凹部等を入光面や反入光面の全体に形成しても、それらの面の近傍には光の干渉縞が現れるが、それら以外の側面では、このような干渉縞が現れないからである。
そして、導光板の側面に凸部を形成した場合は、この凸部によって導光板の表面の出射領域が狭くならないようにして、導光板をフレームに嵌め込んで固定することができるし、しかも、干渉縞が現れないようにすることができる。つまり、導光板の側面に凹部を形成すると、凹部の深さの分だけ導光板の表面の出射領域が狭くなるので、所望の出射領域を得るためには、凹部の深さ分だけ大きくした導光板を必要とする。よって、導光板の側面に凹部を設けるよりも凸部を設けた方が、このライトユニットをさらに小型、軽量にすることができる。
この発明によれば、ライトユニットが設けられているたとえば液晶表示装置を、衝撃を受けることがあるたとえば携帯電話機等に使用できる。そして、この携帯電話機に衝撃が加わったときに、液晶表示パネルのガラス板と、導光板とが衝突しても、その衝撃を小さくできるので、それぞれに傷が付かないようにできるし、破損することを防止できる。これによって、このライトユニットを含む液晶表示装置の寿命を延ばすことができる。
そして、液晶表示パネルの表示領域と対応する導光板の所定の領域内に光の干渉縞が現れないようにすることができるので、液晶表示パネル等によって表示される画像等を鮮明に見ることができる。
また、導光板に光の干渉縞が現れないようにできるし、たとえ現れたとしても、導光板の大きさを変えずに干渉縞が液晶表示パネルの非表示領域に現れるようにできるので、表示領域よりも少し大きいだけの導光板を使用できる。よって、小型、軽量のライトユニットを提供できる。
この発明の上述の目的，その他の目的，特徴および利点は、図面を参照して行う以下の実施例の詳細な説明から一層明らかとなろう。
【図面の簡単な説明】  図１（Ａ）はこの発明の一実施例に係るバックライトユニットが備える導光板を示す斜視図であり；
図１（Ｂ）は図１（Ａ）の導光板の側面に形成されている凸部を示す部分拡大図であり；
図１（Ｃ）は図１（Ａ）の導光板が設けられている液晶表示装置を図２（Ａ）のＩＣ−ＩＣ方向から見た部分拡大断面図であり；
図２（Ａ）は図１（Ｃ）に示すこの実施例の液晶表示装置の平面図であり；
図２（Ｂ）は図２（Ａ）の液晶表示装置を示す側面図であり；
図３はこの発明の他の実施例に係るバックライトユニットが備える導光板を示す斜視図であり；
図４はこの発明のさらに他の実施例に係る導光板を備える液晶表示装置を示す断面図であり；
図５はこの発明のさらに他の実施例に係る導光板を備える液晶表示装置を示す断面図であり；
図６は従来のバックライト方式の液晶表示装置を模式的に示す縦断面図であり；
図７は従来のバックライト方式の液晶表示装置を示す分解斜視図であり；
図８は図７に示す従来の液晶表示装置を図１０のＶＩＩＩ−ＶＩＩＩ方向から見た断面図であり；
図９（Ａ）は図７の従来の液晶表示装置が備える導光板を示す斜視図であり；
図９（Ｂ）は図９（Ａ）の導光板の側面に形成されている凸部を示す部分拡大図であり；そして
図１０は図７の従来の液晶表示装置を示す平面図である。
【発明を実施するための最良の形態】  この発明の一実施例に係るライトユニットを適用した液晶表示装置を図１および図２等を参照して説明する。このライトユニット１０は、透過型または半透過型の液晶表示装置１２のバックライトユニットであって、サイドライト方式を採用するものである。この液晶表示装置１２は、たとえば携帯電話機に使用されている。そして、その基本的な構成、すなわち、光源としてのＬＥＤ（発光ダイオード）１４、導光板１６および液晶表示パネル１８の構成は、図６に示すものと同等であるので、その説明を省略する。なお、ＬＥＤ１４に代えて、ランプを使用してもよい。
図２（Ａ）に示すこの実施例の液晶表示装置１２と、図１０に示す従来の液晶表示装置１とが相違するところは、バックライトユニット１０，７である。そして、図２に示すこの実施例のバックライトユニット１０と、図１０に示すバックライトユニット７とが相違するところは、導光板１６，２およびフレーム２０，６に形成されている凸部２２，２ｅおよび凹部２４，６ｃが相違するところである。
つまり、図１０に示す従来のバックライトユニット７では、液晶表示パネル５に形成される矩形の表示領域８における縦方向の境界縁（長さＡ）８ａに対して、凸部２ｅがその一部の範囲内に配置されており、その長さが境界縁８ａの長さＡよりも短いＨ１で形成されている。
これに対して、図２（Ａ）に示すバックライトユニット１０は、平面形状がほぼ矩形の導光板１６の左右の各側面２６の全体にわたって凸部２２が形成されている。この凸部２２は、液晶表示パネル１８に形成される矩形の表示領域２８における縦方向の境界縁（長さＡ）２８ａに対して、その全部の範囲、およびその境界縁２８ａの上下方向の各延長線上に所定の長さの範囲にわたって連続して形成されており、その長さが境界縁２８ａの長さＡよりも長いＨ２（＝Ｃ）である。このように、凸部２２およびこの凸部２２が嵌め込まれる凹部２４の長さ、形状および範囲が相違すること以外は、図１０に示す従来のものと同等である。なお、説明を分かり易くするために、液晶表示パネル１８の表示領域２８、およびこの表示領域２８と対応する導光板１６の光の出射領域を、どちらも表示領域２８として説明する。
この液晶表示装置１２は、図１（Ｃ）の断面図に示すように、矩形の枠状のフレーム２０を備えている。このフレーム２０は、外枠２０ａの内周面に沿って内枠３０が形成されたものである。この内枠３０の上面には、図７に示すものと同等のレンズシート３２，矩形の枠状の遮光両面接着テープ３４，偏光板３６，ガラス板３８，および偏光板３６が重ねられた状態で固定されている。この偏光板３６、ガラス板３８および偏光板３６が液晶表示パネル１８を構成しており、ガラス板３８に各偏光板３６が貼り付けられた状態で、遮光両面接着テープ３４によって内枠３０の上面に接着されている。そして、内枠３０の内側面に導光板１６が嵌め込まれて固定されている。また、内枠３０の下面には、図７に示すものと同等の両面接着テープ４０を介して反射シート４２が接着されて固定されている。さらに、図７に示すものと同等のフレキシブルプリントケーブル（ＦＰＣ）４１が内枠３０の上面に設けてあり、このＦＰＣ４１には、光源としてのたとえば３つの発光ダイオード１４、およびサージ防止ダイオード１４Ｓが設けられている。これら発光ダイオード１４，ＦＰＣ４１，導光板１６，フレーム２０，レンズシート３２等がバックライトユニット１０を構成している。
バックライトユニット１０を構成する導光板１６は、図１（Ａ）に示すように、矩形の板状体であって、縦および横の長さは、ＣおよびＤである。そして、左右の各側面には凸部２２が形成されている。この凸部２２は、図１（Ｂ）に示すように、断面形状が矩形の突条であって、左右の各側面２６の下縁に沿って各側面２６の長さの全体にわたって形成されており、長さがＨ２（＝Ｃ）である。ただし、導光板１６を平面方向から見て、その下側および上側に形成されている入光面４４および反入光面４６には凸部２２が形成されていない。
フレーム２０は、図２（Ａ）に示すように、矩形の外枠２０ａを備えている。この外枠２０ａの内側に矩形の内枠３０が形成されている。そして、この内枠３０を構成する左内枠３０ａおよび右内枠３０ｂの各内側面には、凹部２４が形成されている。この凹部２４は、図１（Ｃ）に示すように、断面形状が矩形の溝であって、左右の各内側面の上縁に沿って各内側面の長さＣの全体にわたって形成されており、長さがＨ２（＝Ｃ）である。フレーム２０に形成されている各凹部２４は、導光板１６に形成されている各凸部２２がちょうど嵌り合う形状である。よって、導光板１６は、図２（Ａ）に示す矩形のフレーム２０の内枠３０の内側面とほぼ対応する寸法（縦の長さＣ，横の長さＤ）に形成されており、導光板１６の４つの各側面がこの内枠３０の４つの各内側面に向かい合う状態でフレーム２０に嵌め込まれている。ただし、図２に示すフレーム２０の上内枠３０ｃおよび下内枠３０ｄには凹部２４が形成されていない。そして、矩形の内枠３０のそれぞれの内側面は、光を反射する反射面として形成されている。この反射面は、導光板１６からの光を反射して導光板１６に戻す働きをする。
また、図１（Ｃ）に示すように、矩形の反射シート４２は、４つの各辺に沿う外縁部の上面が矩形の枠状に形成された両面接着テープ４０を介して内枠３０の下面に接着されている。この反射シート４２は、上面が導光板１６の下面と当接しており、導光板１６からの光を反射して導光板１６に戻す働きをする。
レンズシート３２は、矩形のシートであって、４つの各辺に沿う外縁部が内枠３０の内縁の上面に形成されている溝４８に嵌め込まれている。この状態で、レンズシート３２の上面と内枠３０の上面とが面一となっている。そして、レンズシート３２の外縁部の上面と、内枠３０の上面とに跨る状態で、矩形の枠状の遮光両面接着テープ３４が貼着されている。
液晶表示パネル１８は、矩形のガラス板３８の上下の各面に偏光板３６，３６が密着して貼り付けられていて一体となっている。このガラス板３８は、図２（Ａ）に示すように、縦および横方向の各寸法がフレーム２０の外枠２０ａの内周面と対応する寸法である。そして、この液晶表示パネル１８の下面に密着して取り付けられている偏光板３６の外周縁の下面が遮光両面接着テープ３４の上面に貼着されている。
このように液晶表示装置１２が構成されているので、図１（Ｃ）に示す液晶表示パネル１８（ガラス板３８）が導光板１６に接近する方向の移動を、フレーム２０の内枠３０によって規制することができる。そして、液晶表示パネル１８が導光板１６から離れる方向（フレーム２０から外れる上方向）の移動を、遮光両面接着テープ３４による接着力によって規制することができる。
また、バックライトユニット１０の導光板１６が液晶表示パネル１８のガラス板３８に接近する方向の移動を、導光板１６に形成されている凸部２２が内枠３０に形成されている凹部２４の側壁２４ａに係合していることによって規制することができる。そして、導光板１６が液晶表示パネル１８から離れる方向（フレーム２０から外れる下方向）の移動を、内枠３０に接着されている反射シート４２によって規制することができる。これによって、液晶表示パネル１８のガラス板３８および導光板１６は、フレーム２０に確実に固定された状態となっている。
したがって、この液晶表示装置１２が設けられているたとえば携帯電話機が落下して液晶表示装置１２に衝撃が加わったときに、液晶表示パネル１８のガラス板３８と、導光板１６との衝突による衝撃を小さくすることができ、お互いに傷を付け合わないようにできるし、破損することを防止できる。これによって、この液晶表示装置１２および携帯電話機の寿命を延ばすことができる。
そして、バックライトユニット１０は、図２（Ａ）に示す矩形の導光板１６における左右の各側面２６の全体にわたって凸部２２が連続して形成されているので、各凸部２２の上下の各端部から、図１０に示すような線状の光の干渉縞（輝線９ａと暗部９ｂとからなる干渉縞）９が現れないようにすることができる。これによって、液晶表示パネル１８の表示領域２８に干渉縞９が現れないようにすることができる。また、導光板１６の左右の各側面２６、入光面４４および反入光面４６は、液晶表示パネル１８の非表示領域（表示領域２８の外周に沿って形成される矩形の枠状の領域）５０内に配置されていて、これらが表示領域２８に現れないので、液晶表示パネル１８の表示領域２８に表示される画像等を鮮明に見ることができる。
なお、凸部２２を導光板１６の入光面４４および反入光面４６を除く左右の各側面２６に形成した理由は、凸部２２を入光面４４や反入光面４６の全体に形成しても、それらの面の近傍に光の干渉縞が現れるが、それら以外の左右の各側面２６では、このような干渉縞が現れないからである。
また、導光板１６の左右の各側面２６に凸部２２を形成してあるので、この凸部２２によって導光板１６の表面の出射領域が狭くならないようにして、導光板１６をフレーム２０に嵌め込むことができるし、しかも、干渉縞９が現れないようにすることができる。つまり、導光板１６の側面２６に凹部２４を形成すると、凹部２４の深さ（図１（Ｃ）に示す幅Ｇに相当する深さ）の分だけ導光板１６の表面の出射領域が狭くなるが、側面２６に凸部２２を形成することによって、導光板１６の表面の光の出射領域が狭くなることがない。このように、導光板１６の出射領域が狭くならないので、所望の出射領域を得るために導光板１６を大きくする必要がない。よって、導光板１６の側面２６に凹部２４を設けるよりも凸部２２を設けた方が、このバックライトユニット１０をさらに小型、軽量にすることができる。
ただし、上記実施例では、図１（Ａ）に示すように、導光板１６の左右の各側面２６の全体（長さＣ）にわたって凸部２２（長さＨ２（＝Ｃ））を形成したが、これに代えて、図３に示すように、導光板１６の左右の各側面２６のうち、中央に長さＨ３の範囲にわたって凸部２２を形成してもよい。各凸部２２が形成されているＨ３の範囲は、図２（Ａ）に示す液晶表示パネル１８の表示領域２８における縦方向の範囲Ａと対応する範囲である。したがって、各凸部２２の上下の各端部から光の干渉縞が各側面に対してたとえば垂直方向に線状に現れる場合、各干渉縞が液晶表示パネル１８の非表示領域５０と表示領域２８との境界線上に現れるが、表示領域２８内に現れないようにすることができる。よって、表示領域２８に表示される画像等を鮮明に見ることができる。
なお、各凸部２２の上下の各端部から光の干渉縞が各側面に対して垂直方向以外の方向に向かい、所定の長さで現れる場合は、各干渉縞が液晶表示バネル１８の表示領域２８に現れないように、各凸部２２を形成する範囲（長さ）を設定する必要がある。そして、フレーム２０の内枠３０には、凸部２２と対応する長さの凹部２４を形成する。
そして、上記実施例では、図１（Ｃ）に示すように、凸部２２の断面形状を矩形とし、凹部２４の断面形状を凸部２２と対応する矩形の断面形状としたが、これに代えて、図４に示すように、凸部５２の断面形状を半円形とし、凹部５４の断面形状を凸部５２と対応する半円形の断面形状としてもよい。同様に、図５に示すように、凸部５６の断面形状を台形とし、凹部５８の断面形状を凸部５６と対応する台形の断面形状としてもよい。
また、上記実施例では、ライトユニット１０をバックライトユニットとして適用したが、これに代えて、フロントライトユニットとして適用することができる。
さらに、上記実施例では、図２（Ａ）に示すように、導光板１６の左右の各側面２６に凸部２２を形成し、フレーム２０の左内枠３０ａおよび右内枠３０ｂに凹部２４を形成したが、これに代えて、導光板１６の左右の各側面２６に凹部２４を形成し、フレーム２０の左内枠３０ａおよび右内枠３０ｂにそれら凹部２４と嵌り合う凸部２２を形成してもよい。ただし、導光板１６がガラス板３８に向かう方向の移動を係止できるように、凸部２２および凹部２４を形成する。
そして、上記実施例では、図２（Ａ）に示すように、導光板１６の左右の各側面２６に凸部２２を形成し、フレーム２０の左内枠３０ａおよび右内枠３０ｂに凹部２４を形成したが、これに代えて、導光板１６の左右のうちいずれか一方の側面２６に凸部２２または凹部２４を形成し、フレーム２０の対応する内枠３０に凹部２４または凸部２２を形成して両者を嵌合させる構成としてもよい。導光板１６の一方の側面２６をフレーム２０に固定することによっても、導光板１６およびガラス板３８が受ける衝撃を小さくすることができる。
また、上記実施例では、平面形状が矩形の導光板１６を例に挙げて説明したが、矩形以外の多角形やそれ以外の形状の導光板に対しても本発明を適用することができる。このように導光板を形成した場合、導光板の側面に形成した凸部２２または凹部２４の端部から延びる光の干渉縞が現れるときは、この干渉縞が表示領域に現れないように、凸部２２または凹部２４を形成する長さや範囲を定めればよい。
さらに、上記実施例では、導光板１６の下面に溝（プリズム）を形成して反射面としたが、これ以外のたとえば凹凸等を形成して反射面としてもよい。
この発明が詳細に説明され図示されたが、それは単なる図解および一例として用いたものであり、限定であると解されるべきではないことは明らかであり、この発明の精神および範囲は添付されたクレームの文言によってのみ限定される。
2004055430.tif 000003
2004055430.tif 000004
【図３】
2004055430.tif 000005
【図４】
2004055430.tif 000006
【図５】
2004055430.tif 000007
【図６】
2004055430.tif 000008
【図７】
2004055430.tif 000009
【図８】
2004055430.tif 000010
2004055430.tif 000011
【図１０】
2004055430.tif 000012
【国際調査報告】
2004055430.tif 000013
2004055430.tif 000014
2004055430.tif 000015
2004055430.tif 000016